(57)【要約】【課題】利便性を向上可能な電子機器、制御方法及び制御プログラムを提供する。【解決手段】電子機器１００は、目の下部の血流に関する情報を測定する測定部１１０と、測定部１１０が測定した血流に関する情報と、血流に関する所定の条件との比較の結果に応じて目のくまに関する情報を報知する報知部１３０と、を備える。【選択図】図１
2018121934.tif 000002
【特許請求の範囲】
【請求項１】
目の下部の血流に関する情報を測定する測定部と、
前記測定部が測定した血流に関する情報と、血流に関する所定の条件との比較の結果に応じて目のくまに関する情報を報知する報知部と、
を備える電子機器。
【請求項２】
前記血流に関する所定の条件は、閾値であり、
前記報知部は、前記測定部が測定した血流に関する情報が示す値が、前記閾値を下回った場合に前記目のくまに関する情報を報知する、
請求項１に記載の電子機器。
【請求項３】
前記測定部は、内眼角下部において、前記血流に関する情報を測定する、請求項１に記載の電子機器。
【請求項４】
前記報知部は、目のくまが発生する可能性に関する情報を報知する、請求項１に記載の電子機器。
【請求項５】
前記報知部は、目のくまが発生するまでの推定時間に関する情報を報知する、請求項１に記載の電子機器。
【請求項６】
前記報知部は、目のくまを解消するために必要と推定されるマッサージの時間に関する情報を報知する、請求項１に記載の電子機器。
【請求項７】
前記報知部は、目のくまを解消するために推奨されるマッサージの方法に関する情報を報知する、請求項１に記載の電子機器。
【請求項８】
前記測定部は、右目の下部の血流に関する情報を測定する第１測定部と、左目の下部の血流に関する情報を測定する第２測定部とを備える、請求項１に記載の電子機器。
【請求項９】
パッドを有する眼鏡型のフレーム部を備え、
前記測定部は、前記パッドに配置される、請求項１に記載の電子機器。
【請求項１０】
装着状態において目を覆うことができるゴーグル型の本体を備え、
前記測定部は、前記本体において、前記装着状態で前記目の下部に接触する位置に配置される、請求項１に記載の電子機器。
【請求項１１】
測定部と報知部とを備える電子機器により実行される制御方法であって、
前記測定部が、目の下部の血流に関する情報を測定し、
前記報知部が、前記測定部が測定した血流に関する情報と、血流に関する所定の条件との比較の結果に応じて目のくまに関する情報を報知する、
制御方法。
【請求項１２】
コンピュータに、
目の下部の血流に関する情報を測定させ、
測定された血流に関する情報と、血流に関する所定の条件との比較の結果に応じて目のくまに関する情報を報知させる、制御プログラム。
【発明の詳細な説明】
【技術分野】
【０００１】
本開示は、電子機器、制御方法及び制御プログラムに関する。
【背景技術】
【０００２】
従来、マッサージの効果を評価する方法が知られている。例えば、特許文献１には、目のくまの変化に基づいてマッサージの効果を評価する方法が開示されている。
【０００３】
また、目のくまが発生する仕組みについては、例えば非特許文献１に開示されている。
【先行技術文献】
【特許文献】
【０００４】
【特許文献１】特開２００４−１２９７０５号公報
【非特許文献】
【０００５】
【非特許文献１】松本雅之、外3名、「“くま”発生要因に関する研究」、日本化粧品技術者会誌、2000年、Vol. 34、No. 2、p. 152-159
【発明の概要】
【発明が解決しようとする課題】
【０００６】
特許文献１に開示された方法は、目のくまが発生した場合に、マッサージの効果を評価するために使用可能な方法である。目のくまが発生すると、疲れて見えたり、老けて見えたりする場合がある。そのため、目のくまが発生することを事前に知ることができれば、利便性が高まる。
【０００７】
本開示の目的は、利便性を向上可能な電子機器、制御方法及び制御プログラムを提供することにある。
【課題を解決するための手段】
【０００８】
電子機器の一態様は、測定部と報知部とを備える。前記測定部は、目の下部の血流に関する情報を測定する。前記報知部は、前記測定部が測定した血流に関する情報と、血流に関する所定の条件との比較の結果に応じて目のくまに関する情報を報知する。
【０００９】
制御方法の一態様は、測定部と報知部とを備える電子機器により実行される制御方法である。前記制御方法において、前記測定部は、目の下部の血流に関する情報を測定する。前記制御方法において、前記報知部は、前記測定部が測定した血流に関する情報と、血流に関する所定の条件との比較の結果に応じて目のくまに関する情報を報知する。
【００１０】
制御プログラムの一態様は、コンピュータに、目の下部の血流に関する情報を測定させ、測定された血流に関する情報と、血流に関する所定の条件との比較の結果に応じて目のくまに関する情報を報知させる。
【発明の効果】
【００１１】
本開示によれば、利便性を向上可能な電子機器、制御方法及び制御プログラムを提供できる。
【図面の簡単な説明】
【００１２】
【図１】一実施形態に係る電子機器の概略構成を示す機能ブロック図である。
【図２】図１の制御部が実行する処理の一例を示すフローチャートである。
【図３】図１の電子機器の一態様を示す概略図である。
【図４】図３の電子機器の使用状態の一例を示す概略図である。
【図５】図１の電子機器の他の一態様を示す概略図である。
【図６】図５の電子機器を裏面側から見た場合の概略図である。
【図７】一実施形態に係る制御システムの概略構成の一例を模式的に示す図である。
【図８】図７の制御システムの概略構成を示す機能ブロック図である。
【図９】図７の制御システムによる制御手順の一例を示すシーケンス図である。
【発明を実施するための形態】
【００１３】
以下、本開示の実施形態について、図面を参照して詳細に説明する。
【００１４】
図１は、一実施形態に係る電子機器１００の概略構成を示す機能ブロック図である。電子機器１００は、測定部１１０と、制御部１２０と、報知部１３０と、記憶部１４０とを備える。
【００１５】
電子機器１００は、測定部１１０において血流に関する情報を測定し、測定した血流に関する情報に基づいて報知を行う。電子機器１００は、例えば電子機器１００のユーザ（被検者）が、電子機器１００に対して所定の操作入力を行った場合に、測定部１１０を起動して、血流に関する情報を測定してもよい。電子機器１００は、例えば連続的に血流に関する情報を測定してもよい。
【００１６】
測定部１１０は、被検者の血流に関する情報を取得する。測定部１１０は、目の下部の血流に関する情報を測定してよい。目の下部は、例えば涙袋又は目袋を含む。測定部１１０は、例えば目の下部において、直接、目の下部の血流に関する情報を測定してよい。測定部１１０は、例えば目の下部の血管に血液を送る血管の血流を測定することにより、目の下部の血流に関する情報を測定してもよい。例えば、目の下部の血管は、内眼角下部の血管とつながっており、内眼角下部の血管から目の下部の血管に血液が送られる。そのため、測定部１１０は、例えば内眼角下部において、目の下部の血流に関する情報を測定してよい。被検者において、測定部１１０が血流に関する情報を取得する位置（部位）を、以下「被検部位」ともいう。被検部位は、例えば、目袋及び内眼角下部を含んでよい。
【００１７】
測定部１１０は、血流に関する情報を測定するユニットとして、複数の測定部を備えていてもよい。図１には、測定部１１０が、第１測定部１１０ａ及び第２測定部１１０ｂという、２つのユニットを備える例が記載されている。測定部１１０が備えるユニットは、１つであってもよく、３つ以上であってもよい。
【００１８】
各ユニットである第１測定部１１０ａ及び第２測定部１１０ｂは、それぞれ同一の構成を有していてよい。例えば、第１測定部１１０ａ及び第２測定部１１０ｂは、それぞれ発光部１１１と受光部１１２とを備えていてよい。第１測定部１１０ａ及び第２測定部１１０ｂは、それぞれ被検部位に測定光を照射して、被検部位の内部の組織からの反射光（散乱光）を取得する。第１測定部１１０ａ及び第２測定部１１０ｂは、取得した散乱光の光電変換信号を、制御部１２０に送信する。
【００１９】
発光部１１１は、制御部１２０の制御に基づいて測定光を被検部位に照射する。発光部１１１は、例えば、血液中に含まれる所定の成分を検出可能な波長のレーザ光を、測定光として被検部位に照射する。発光部１１１は、例えばＬＤ（レーザダイオード：Laser Diode）により構成されていてよい。
【００２０】
受光部１１２は、被検部位からの測定光の散乱光を受光する。受光部１１２は、例えば、ＰＤ（フォトダイオード：Photo Diode）により構成されていてよい。受光部１１２が受光した散乱光の光電変換信号は、制御部１２０に送信される。
【００２１】
制御部１２０は、電子機器１００の各機能ブロックをはじめとして、電子機器１００の全体を制御及び管理する少なくとも１つのプロセッサ１２０ａを含む。制御部１２０は、制御手順を規定したプログラムを実行するＣＰＵ（Central Processing Unit）等の少なくとも１つのプロセッサ１２０ａを含んで構成され、その機能を実現する。このようなプログラムは、例えば記憶部１４０、又は電子機器１００に接続された外部の記憶媒体等に格納される。
【００２２】
種々の実施形態によれば、少なくとも１つのプロセッサ１２０ａは、単一の集積回路（ＩＣ）として、又は複数の通信可能に接続された集積回路ＩＣ及び／又はディスクリート回路（discrete circuits）として実行されてもよい。少なくとも１つのプロセッサ１２０ａは、種々の既知の技術に従って実行されることが可能である。
【００２３】
一実施形態において、プロセッサ１２０ａは、例えば、関連するメモリに記憶された指示を実行することによって１以上のデータ計算手続又は処理を実行するように構成された１以上の回路又はユニットを含む。他の実施形態において、プロセッサ１２０ａは、１以上のデータ計算手続き又は処理を実行するように構成されたファームウェア（例えば、ディスクリートロジックコンポーネント）であってもよい。
【００２４】
種々の実施形態によれば、プロセッサ１２０ａは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス若しくは構成の組み合わせを含み、以下に説明される制御部１２０としての機能を実行してもよい。
【００２５】
制御部１２０は、第１測定部１１０ａ及び第２測定部１１０ｂから取得した血流に関する情報に基づき、血流量を算出する。ここで、制御部１２０による、ドップラーシフトを利用した血流量測定技術について説明する。
【００２６】
生体の組織内において、動いている血球から散乱された散乱光は、血液中の血球の移動速度に比例したドップラー効果による周波数シフト（ドップラーシフト）を受ける。制御部１２０は、静止した組織からの散乱光と、動いている血球からの散乱光との光の干渉によって生じるうなり信号（ビート信号ともいう）を検出する。このうなり信号は、強度を時間の関数として表したものである。そして、制御部１２０は、このうなり信号を、パワーを周波数の関数として表したパワースペクトルにする。このうなり信号のパワースペクトルでは、ドップラーシフト周波数は血球の速度に比例する。また、このうなり信号のパワースペクトルでは、パワーは血球の量に対応する。制御部１２０は、うなり信号のパワースペクトルに周波数をかけて積分することにより血流量を求める。
【００２７】
制御部１２０は、算出した血流量と、血流に関する所定の条件とを比較する。血流に関する所定の条件は、例えば予め記憶部１４０に記憶されていてよい。制御部１２０は、血流量と、血流に関する所定の条件との比較の結果に応じて、報知部１３０から報知を行う。制御部１２０が実行する制御のさらなる詳細については、後述する。
【００２８】
報知部１３０は、音、振動、及び画像等で情報を報知する。報知部１３０は、スピーカ、振動子、及び表示デバイスを備えていてもよい。表示デバイスは、例えば液晶ディスプレイ（ＬＣＤ：Liquid Crystal Display）、有機ＥＬディスプレイ（ＯＥＬＤ：Organic Electro-Luminescence Display）、又は無機ＥＬディスプレイ（ＩＥＬＤ：Inorganic Electro-Luminescence Display）等とすることができる。報知部１３０は、制御部１２０の制御に基づき、例えば血流量と、血流に関する所定の条件との比較の結果に応じて、所定の報知を行う。
【００２９】
記憶部１４０は、半導体メモリ又は磁気メモリ等で構成されることができる。記憶部１４０は、各種情報や電子機器１００を動作させるためのプログラム等を記憶する。記憶部１４０は、ワークメモリとしても機能してもよい。記憶部１４０は、例えば、第１測定部１１０ａ及び第２測定部１１０ｂにより取得されたデータを記憶してよい。
【００３０】
次に、制御部１２０が実行する制御の詳細について説明する。図２は、制御部１２０が実行する処理の一例を示すフローチャートである。制御部１２０は、被検者が電子機器１００を起動した場合に、図２に示すフローを実行してよい。制御部１２０は、被検者が電子機器１００に対して所定の操作入力を行った場合に、図２に示すフローを実行してよい。
【００３１】
制御部１２０は、まず、測定部１１０において、被検者の目の下部の血流に関する情報の測定を実行させて、測定部１１０から被検者の目の下部の血流に関する情報を取得する（ステップＳ１０１）。
【００３２】
制御部１２０は、取得した血流に関する情報に基づいて、被検部位における血流量を算出する（ステップＳ１０２）。
【００３３】
制御部１２０は、ステップＳ１０２で算出した血流量と、血流に関する条件とを比較する（ステップＳ１０３）。
【００３４】
血流に関する条件は、例えば所定の閾値であってよい。所定の閾値は、例えば、目の下部においてくまが発生する可能性があるか否かを判断可能な血流量の値であってよい。目のくま（いわゆる「青くま」）は、目の下部にできる色の変化状態である。青くまは、例えば、睡眠不足、疲労及びストレス等によって目の下部の毛細血管の血流が滞って血行不良が生じることにより発生することが知られている（例えば、被特許文献１参照）。従って、所定の閾値を、目のくまが発生する可能性が高い血流量の値とすることにより、制御部１２０は、被検者に目のくまが発生する可能性が高いか否かを判定することができる。目のくまが発生する可能性は、例えば実験により取得された統計データに基づいて、所定の確率として算出されてよい。従って、所定の閾値は、目のくまが発生する確率が所定値である値として定められてよい。図２に示すフローでは、血流に関する条件が、目のくまが発生する確率が所定値となる血流量の閾値であるとして、以下説明する。すなわち、制御部１２０は、ステップＳ１０３において、算出した血流量と、目のくまが発生する確率が所定値となる血流量の閾値とを比較する。
【００３５】
制御部１２０は、算出した血流量が、記憶部１４０に記憶された所定の閾値以上であるか否かを判断する（ステップＳ１０４）。
【００３６】
制御部１２０は、算出した血流量が、記憶部１４０に記憶された所定の閾値未満であると判断した場合（ステップＳ１０４のＮｏ）、目のくまが発生する確率が所定値より高いと判断できる。この場合、制御部１２０は、報知部１３０から目のくまに関する情報の報知を行う（ステップＳ１０５）。制御部１２０がステップＳ１０５において行う目のくまに関する情報の報知は、例えば、目のくまが発生する可能性が高いことを被検者に通知（警告）する報知であってよい。
【００３７】
制御部１２０は、算出した血流量が、記憶部１４０に記憶された所定の閾値以上であると判断した場合（ステップＳ１０４のＹｅｓ）、目のくまが発生する確率が所定値より低いと判断できる。この場合、制御部１２０は、このフローを終了してよい。
【００３８】
制御部１２０は、算出した血流量が、記憶部１４０に記憶された所定の閾値以上であると判断した場合（ステップＳ１０４のＹｅｓ）においても、報知部１３０から情報の報知を行ってもよい。この場合、制御部１２０が行う報知は、例えば、目のくまが発生する可能性が低いことを被検者に通知する報知であってよい。
【００３９】
図２に示すフローにおいて、制御部１２０は、ステップＳ１０３における比較の結果に基づいて、目のくまが発生する可能性に関する任意の情報を報知できる。制御部１２０が実行させる報知は、例えば上述の説明のように、目のくまが発生する可能性が所定の確率よりも高いか低いかに関する報知であってよい。制御部１２０が実行させる報知は、例えば、目のくまが発生する確率を数値として報知してもよい。報知される確率は、例えば１０％刻み等、段階的に設定されていてもよい。
【００４０】
被検者は、報知部１３０からの報知により、目のくまが発生する可能性を、目のくまが発生する前に知ることができる。
【００４１】
このように、本実施形態に係る電子機器１００は、測定部１１０が測定した血流に関する情報と、血流に関する所定の条件との比較の結果に基づいて、被検者の目にくまが発生しやすい状態であるか否かを判断できる。電子機器１００は、判断した内容に応じて報知部１３０から報知を行う。そのため、目のくまが発生する可能性を事前に知ることができる。そのため、電子機器１００によれば、利便性が向上する。
【００４２】
上述した電子機器１００は、多様な態様で実現され得る。例えば、電子機器１００は、眼鏡型のデバイスとして実現され得る。図３は、電子機器１００の一態様を示す概略図であり、眼鏡型のデバイスとして実現された電子機器１００の外観を示す図である。被検者は、眼鏡型の電子機器１００を、頭部に装着して使用する。
【００４３】
眼鏡型の電子機器１００は、外形が眼鏡型のフレーム部１５０を備える。フレーム部１５０は、２つのテンプル１５１と、２つのリム１５２と、２つのブリッジ１５３と、パッド１５４とを備える。リム１５２とブリッジ１５３とを含む、眼鏡型の電子機器１００の前面部を、フロントともいう。
【００４４】
テンプル１５１は、眼鏡型の電子機器１００のフロントから後方に延在する。２つのテンプル１５１は、被検者が眼鏡型の電子機器１００を装着した状態において、それぞれ被検者の左右の耳に掛って、装着状態を安定させる。
【００４５】
リム１５２は、フロントにおいて枠を形成する。２つのリム１５２は、被検者が眼鏡型の電子機器１００を装着した状態において、それぞれ左右の目の前に位置する。リム１５２は、レンズを保持することができる。例えば、眼鏡型の電子機器１００が眼鏡としても使用される場合には、リム１５２はレンズを保持する。
【００４６】
ブリッジ１５３は、２つのリム１５２を連結する部材である。
【００４７】
パッド１５４は、被検者が眼鏡型の電子機器を装着した状態において、被検者の内眼角下部に接触して、装着状態を安定させる。２つのパッド１５４は、それぞれ左右の目の内眼角下部に接触する。２つのパッド１５４は、それぞれ第１測定部１１０ａ及び第２測定部１１０ｂを備える。例えば、第１測定部１１０ａは、被検者の右目の内眼角下部に接触するパッド１５４に配置され、第２測定部１１０ｂは、被検者の左目の内眼角下部に接触するパッド１５４に配置されていてよい。
【００４８】
図４は、図３に示す眼鏡型の電子機器１００の使用状態（つまり装着状態）の一例を示す概略図である。図４に示されるように、眼鏡型の電子機器１００の装着状態において、第１測定部１１０ａを備えるパッド１５４は、右目の内眼角下部に接触し、第２測定部１１０ｂを備えるパッド１５４は、左目の内眼角下部に接触する。第１測定部１１０ａ及び第２測定部１１０ｂの発光部１１１は、この状態において、被検部位である内眼角下部に測定光を照射する。受光部１１２は、被検部位である内眼角下部からの散乱光を受光することにより、目の下部の血流に関する情報を測定する。眼鏡型の電子機器１００は、測定部１１０が測定した目の下部の血流に関する情報に基づいて、上述した処理を行うことにより、被検者に対して情報を報知してよい。
【００４９】
電子機器１００が眼鏡型のデバイスとして実現されることにより、被検者は、常時電子機器１００を装着して、血流に関する情報を電子機器１００に測定させることができる。電子機器１００は、例えば、被検者が眼鏡型の電子機器１００の装着直後に取得した血流に関する情報からの変化に応じて、報知部１３０から情報を報知してもよい。例えば、電子機器１００は、被検者の血流に関する情報（例えば血流量）が、被検者が眼鏡型の電子機器１００の装着直後に取得した血流に関する情報に対して、所定の割合変化（例えば減少）している場合に、報知部１３０から報知を行ってもよい。
【００５０】
電子機器１００が実現される態様は、図３に示した眼鏡型のものに限られない。電子機器１００は、例えばゴーグル型のデバイスとして実現されてもよい。図５は、電子機器１００の他の一態様を示す概略図であり、ゴーグル型のデバイスとして実現された電子機器１００の外観を示す図である。ゴーグル型の電子機器１００は、具体的には、例えば、ユーザが顔に装着して使用するタイプの美顔器、及びヘッドマウントディスプレイとして実現されてよい。被検者は、ゴーグル型の電子機器１００を、頭部に装着して使用する。
【００５１】
ゴーグル型の電子機器１００は、本体１６０を備える。本体１６０は、装着状態において、少なくとも被検者の目を覆うことができる。本体１６０において、被検者がゴーグル型の電子機器１００を装着した状態で、被検者に接触する側を裏面側と称する。
【００５２】
図６は、図５のゴーグル型の電子機器１００を裏面側から見た場合の概略図である。ゴーグル型の電子機器１００において、測定部１１０は、装着状態で目の下部に接触する位置に配置されてよい。例えば、図６に示すように、電子機器１００の裏面視において、装着状態で右目の下部に接触する位置に第１測定部１１０ａが配置され、装着状態で左目の下部に接触する位置に第２測定部１１０ｂが配置されていてよい。ゴーグル型の電子機器１００も、測定部１１０が測定した目の下部の血流に関する情報に基づいて、上述した処理を行うことにより、被検者に対して情報を報知してよい。
【００５３】
電子機器１００がゴーグル型のデバイスとして実現されることにより、被検者は、当該ゴーグル型のデバイスの使用時に、血流に関する情報を電子機器１００に測定させることができる。
【００５４】
電子機器１００が上述のように眼鏡型のデバイス又はゴーグル型のデバイスとして実現される場合、電子機器１００は、必ずしも両眼において血流に関する情報を取得しなくてもよい。例えば、測定部１１０は、右目又は左目の少なくともいずれかについて、血流に関する情報を測定するユニットを備えていればよい。
【００５５】
電子機器１００は、さらに他の態様で実現されてもよい。例えば、電子機器１００は、アイマスクとして実現されてもよい。
【００５６】
また、電子機器１００は、必ずしも被検者が装着可能な態様で実現されていなくてもよい。例えば、電子機器１００は、装着しない装置として実現されていてもよい。この場合、被検者は、例えば電子機器１００の測定部１１０を被検部位に接触させることにより、血流に関する情報を電子機器１００に測定させることができる。電子機器１００は、装着しない装置として実現される場合、例えばペン形状の電子機器１００や、コンパクトミラー、口紅、音楽再生装置、スマートフォン、タブレット、財布、アイシャドウ、電動髭剃り装置、毛剃り機器等の各種装置や物に電子機器１００が一体的に形成されたものであってよい。
【００５７】
上記実施形態において、報知部１３０は、目のくまが発生する可能性に関する情報を報知すると説明したが（図２のステップＳ１０５）、報知部１３０が報知する目のくまに関する情報は、これに限られない。
【００５８】
例えば、報知部１３０は、図２のフローのステップＳ１０３における比較結果に基づいて、目のくまが発生するまでの時間を推定し、推定した時間（以下、「推定時間」とも称する）に関する情報を報知してもよい。例えば、電子機器１００は、測定部１１０において連続的に測定した被検者の血流に関する情報に基づき、被検者の血流の傾向を分析できる。血流の傾向は、例えば、血流量がどの程度増加又は減少しているかという、血流量の変化の傾向を含む。電子機器１００は、被検者の血流の傾向に基づいて、目のくまが発生するまでの推定時間を算出し、算出した推定時間に関する情報を報知部１３０から報知できる。この報知により、被検者は、目のくまが発生するまでの推定時間を知ることができる。被検者は、推定時間に応じて、適宜休憩をしたり、マッサージをしたりすることにより、血流を改善し得る。
【００５９】
例えば、報知部１３０は、目のくまを解消するために必要と推定されるマッサージの時間に関する情報を報知してもよい。例えば、電子機器１００は、被検者の血流に関する情報によっては、被検者の血流が悪く、目のくまが発生していると推定できる。血流は、マッサージによって改善し得るが、被検者の血流の状態に応じて、目のくまを解消するために必要なマッサージの時間は異なる。電子機器１００は、被検者の血流に関する情報に基づいて、目のくまを解消するために必要なマッサージの時間を推定できる。電子機器１００は、被検者の血流に関する情報に基づいて、目のくまを解消するために必要と推定されるマッサージの時間に関する情報を報知部１３０から報知できる。この報知により、被検者は、目のくまを解消するために必要と推定されるマッサージの時間を知ることができる。被検者が、例えば、報知された長さの時間のマッサージを受けることにより、目のくまが解消しうる。
【００６０】
例えば、報知部１３０は、目のくまを解消するために推奨するマッサージの方法に関する情報を報知してもよい。電子機器１００は、被検者の血流に関する情報に基づいて推定される被検者の血流に応じて、例えば予め記憶部１４０に記憶された複数のマッサージの方法（内容）のうち、少なくとも１つを選択して、当該選択したマッサージの方法に関する情報を報知してもよい。この報知により、被検者は、目のくまを解消するために推奨されるマッサージの方法を知ることができる。被検者が、推奨されたマッサージを行うことにより、目のくまが解消しうる。
【００６１】
電子機器１００は、マッサージ前後の被検者の血流に関する情報を取得することにより、血流の変化に基づいて、マッサージの効果を評価することにも使用され得る。
【００６２】
上記実施形態において、説明した電子機器１００は、システムとして構成されてもよい。図７は、図１の電子機器１００を制御システム５００として実現した場合における制御システム５００の概略構成の一例を模式的に示す図である。
【００６３】
制御システム５００は、測定装置２００と、情報処理装置３００と、端末装置４００とを備える。情報処理装置３００は、有線、無線、又は有線と無線との組合せにより、測定装置２００及び端末装置４００と通信可能に接続されている。測定装置２００と端末装置４００とが直接通信可能であってもよい。また、測定装置２００と、情報処理装置３００と、端末装置４００とを相互に接続するネットワークは、インターネットや無線ＬＡＮ等であってよい。
【００６４】
測定装置２００は、被検者の目の下部の血流に関する情報を測定する。測定装置２００は、測定した血流に関する情報を、情報処理装置３００に送信してよい。測定装置２００は、例えば、図３を参照して説明したように、例えば眼鏡型のデバイスとして実現されていてよい。
【００６５】
情報処理装置３００は、例えばコンピュータ等のサーバ装置として構成されることができる。情報処理装置３００は、測定装置２００から取得した血流に関する情報に基づき、被検者の血流量を算出する。情報処理装置３００は、算出した血流量と、血流に関する所定の条件とを比較する。血流に関する所定の条件は、例えば予め情報処理装置３００の記憶部に記憶されていてよい。情報処理装置３００は、算出した血流量と、血流に関する所定の条件との比較の結果（以下、「比較結果」とも称する）を、端末装置４００に送信してよい。
【００６６】
端末装置４００は、例えばパーソナルコンピュータ、スマートフォン又はタブレット等として構成されてよい。端末装置４００は、例えば、測定装置２００を使用する被検者が所有するものであってよい。端末装置４００は、比較結果に関する情報を、情報処理装置３００から取得する。端末装置４００は、情報処理装置３００から取得した比較結果に応じて、報知を行ってよい。
【００６７】
図８は、制御システム５００の概略構成を示す機能ブロック図である。上述のように、制御システム５００は、測定装置２００と、情報処理装置３００と、端末装置４００とを備える。
【００６８】
測定装置２００は、測定部２１０と、制御部２２０と、通信部２３０と、記憶部２４０とを備える。
【００６９】
測定部２１０は、血流に関する情報を測定するユニットとして、第１測定部２１０ａと第２測定部２１０ｂとを備える。第１測定部２１０ａ及び第２測定部２１０ｂは、それぞれ発光部２１１と受光部２１２とを備える。測定部２１０、第１測定部２１０ａ、第２測定部２１０ｂ、発光部２１１及び受光部２１２の各機能は、図１を参照して説明した、測定部１１０、第１測定部１１０ａ、第２測定部１１０ｂ、発光部１１１及び受光部１１２と、それぞれ同様であるため、ここでは説明を省略する。
【００７０】
制御部２２０は、測定装置２００の各機能ブロックをはじめとして、測定装置２００の全体を制御及び管理する少なくとも１つのプロセッサ２２０ａを含む。制御部２２０は、制御手順を規定したプログラムを実行するＣＰＵ等の少なくとも１つのプロセッサ２２０ａを含んで構成され、その機能を実現する。このようなプログラムは、例えば記憶部２４０、又は測定装置２００に接続された外部の記憶媒体等に格納される。プロセッサ２２０ａは、例えば図１を参照して示したプロセッサ１２０ａと同様の構成であってよいため、ここでは詳細な説明を省略する。制御部２２０は、測定部２１０の制御を行い、被検者の血流に関する情報を取得する。
【００７１】
通信部２３０は、情報処理装置３００と有線通信若しくは無線通信、又は有線通信及び無線通信の組合せの通信を行うことにより、各種情報の送受信を行う。例えば、通信部２３０は、測定装置２００が測定した、被検者の血流に関する情報を情報処理装置３００に送信する。
【００７２】
記憶部２４０は、半導体メモリ又は磁気メモリ等で構成されることができる。記憶部２４０は、各種情報や測定装置２００を動作させるためのプログラム等を記憶する。記憶部２４０は、ワークメモリとしても機能してもよい。記憶部２４０は、例えば、測定部２１０により測定されたデータを記憶してよい。
【００７３】
情報処理装置３００は、制御部３２０と、通信部３３０と、記憶部３４０とを備える。
【００７４】
制御部３２０は、情報処理装置３００の各機能ブロックをはじめとして、情報処理装置３００の全体を制御及び管理する少なくとも１つのプロセッサ３２０ａを含む。制御部３２０は、制御手順を規定したプログラムを実行するＣＰＵ等の少なくとも１つのプロセッサ３２０ａを含んで構成され、その機能を実現する。このようなプログラムは、例えば記憶部３４０、又は情報処理装置３００に接続された外部の記憶媒体等に格納される。プロセッサ３２０ａは、例えば図１を参照して示したプロセッサ１２０ａと同様の構成であってよいため、ここでは詳細な説明を省略する。制御部３２０は、測定装置２００から取得した、血流に関する情報に基づいて、被検者の血流量を算出してよい。制御部３２０は、算出した血流量と、血流に関する所定の条件とを比較してよい。
【００７５】
通信部３３０は、測定装置２００及び端末装置４００と有線通信若しくは無線通信、又は有線通信及び無線通信の組合せの通信を行うことにより、各種情報の送受信を行う。例えば、通信部３３０は、測定装置２００から、被検者の血流に関する情報を受信してよい。また、例えば、通信部３３０は、制御部３２０が実行した、比較結果に関する情報を端末装置４００に送信してよい。
【００７６】
記憶部３４０は、半導体メモリ又は磁気メモリ等で構成されることができる。記憶部３４０は、各種情報や情報処理装置３００を動作させるためのプログラム等を記憶する。記憶部３４０は、ワークメモリとしても機能してもよい。記憶部３４０は、例えば、測定装置２００から取得した被検者の血流に関する情報、及び情報処理装置３００が実行した比較結果を記憶してよい。記憶部３４０は、制御部３２０により実行される比較において使用される、血流に関する所定の条件を記憶してもよい。血流に関する所定の条件は、例えば、電子機器１００の説明において例示した所定の閾値であってよい。また、記憶部３４０は、測定装置２００から取得した被検者の血流に関する情報、及び情報処理装置３００が実行した比較結果を、情報を取得した日時、被検者の名前、識別番号等の個人情報とともに記憶してもよい。
【００７７】
端末装置４００は、制御部４２０と、通信部４３０と、記憶部４４０と、入力部４５０と、報知部４６０とを備える。
【００７８】
制御部４２０は、端末装置４００の各機能ブロックをはじめとして、端末装置４００の全体を制御及び管理する少なくとも１つのプロセッサ４２０ａを含む。制御部４２０は、制御手順を規定したプログラムを実行するＣＰＵ等の少なくとも１つのプロセッサ４２０ａを含んで構成され、その機能を実現する。このようなプログラムは、例えば記憶部４４０、又は端末装置４００に接続された外部の記憶媒体等に格納される。プロセッサ４２０ａは、例えば図１を参照して説明したプロセッサ１２０ａと同様の構成であってよいため、ここでは詳細な説明を省略する。制御部４２０は、情報処理装置３００から取得した比較結果に応じて、報知部４６０から報知を行ってよい。
【００７９】
通信部４３０は、情報処理装置３００と有線通信若しくは無線通信、又は有線通信及び無線通信の組合せの通信を行うことにより、各種情報の送受信を行う。例えば、通信部４３０は、情報処理装置３００から、比較結果に関する情報を受信する。
【００８０】
記憶部４４０は、半導体メモリ又は磁気メモリ等で構成されることができる。記憶部４４０は、各種情報や端末装置４００を動作させるためのプログラム等を記憶する。記憶部４４０は、ワークメモリとしても機能してもよい。記憶部４４０は、例えば、情報処理装置３００から取得した比較結果に関する情報を記憶してよい。
【００８１】
入力部４５０は、端末装置４００のユーザからの操作入力を受け付けるものであり、例えば、操作ボタン（操作キー）から構成される。入力部４５０をタッチパネルにより構成し、表示デバイスの一部にユーザからの操作入力を受け付ける操作キーを表示して、ユーザによるタッチ操作入力を受け付けてもよい。
【００８２】
報知部４６０は、音、振動、及び画像等で情報を報知する。報知部４６０は、比較結果に応じて、報知を行う。報知部４６０の構成は、例えば図１を参照して説明した報知部１３０と同様であってよいため、ここでは詳細な説明を省略する。
【００８３】
図９は、制御システム５００による制御手順の一例を示すシーケンス図である。図９に示すシーケンス図における処理は、例えば被検者が測定装置２００を起動した場合に開始されて、その後繰り返し実行されてよい。図９に示すシーケンス図における処理は、例えば被検者が測定装置２００に対して所定の操作入力を行った場合に、開始されてもよい。
【００８４】
まず、測定装置２００は、測定部２１０において、被検者の目の下部の血流に関する情報の測定を実行させて、測定部２１０から被検者の目の下部の血流に関する情報を取得する（ステップＳ２０１）。
【００８５】
測定装置２００は、取得した血流に関する情報を、通信部２３０から情報処理装置３００に送信する（ステップＳ２０２）。
【００８６】
情報処理装置３００は、血流に関する情報を取得すると、取得した血流に関する情報に基づいて、図２のステップＳ１０２と同様の要領で、被検者の血流量を算出する（ステップＳ２０３）。
【００８７】
情報処理装置３００は、図２のステップＳ１０３と同様の要領で、算出した血流量と、例えば記憶部３４０に記憶された血流に関する所定の条件とを比較する（ステップＳ２０４）。
【００８８】
情報処理装置３００は、ステップＳ２０４における比較結果を、通信部３３０から端末装置４００に送信する（ステップＳ２０５）。
【００８９】
端末装置４００は、比較結果を受信すると、比較結果に応じた報知を行う（ステップＳ２０６）。比較結果に応じた報知は、例えば一例として上述したような、目のくまが発生する可能性に関する報知であってよい。
【００９０】
制御システム５００によっても、端末装置４００の報知により、被検者は、目のくまが発生する可能性を事前に知ることができる。
【００９１】
なお、ステップＳ２０６における比較結果に応じた報知は、例えば、目のくまが発生するまでの推定時間に関する情報、目のくまを解消するために必要と推定されるマッサージの時間に関する情報、及び目のくまを解消するために推奨されるマッサージ方法に関する情報の少なくともいずれかに関する報知であってもよい。
【００９２】
上述した制御システム５００は、必ずしも、測定装置２００と、情報処理装置３００と、端末装置４００との全てを備えていなくてもよい。例えば、制御システム５００は、情報処理装置３００を備えていなくてもよい。この場合、測定装置２００は、血流に関する情報を端末装置４００に送信し、端末装置４００は、受信した血流に関する情報に基づいて、ステップＳ２０３、Ｓ２０４及びＳ２０６に係る処理を実行してよい。また、例えば、制御システム５００は、端末装置４００を備えていなくてもよい。この場合、情報処理装置３００は、比較結果を測定装置２００に送信し、測定装置２００が比較結果に応じた報知を行ってもよい。
【００９３】
本開示を完全かつ明瞭に開示するためにいくつかの実施形態に関し説明してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。また、いくつかの実施形態に示した各要件は、自由に組み合わせが可能である。
【符号の説明】
【００９４】
１００  電子機器
１１０、２１０  測定部
１１０ａ、２１０ａ  第１測定部
１１０ｂ、２１０ｂ  第２測定部
１１１、２１１  発光部
１１２、２１２  受光部
１２０、２２０、３２０、４２０  制御部
１２０ａ、２２０ａ、３２０ａ、４２０ａ  プロセッサ
１３０、４６０  報知部
１４０、２４０、３４０、４４０  記憶部
１５０  フレーム部
１５１  テンプル
１５２  リム
１５３  ブリッジ
１５４  パッド
１６０  本体
２００  測定装置
２３０、３３０、４３０  通信部
３００  情報処理装置
４００  端末装置
４５０  入力部
５００  制御システム
【図１】
2018121934.tif 000003
【図２】
2018121934.tif 000004
【図３】
2018121934.tif 000005
【図４】
2018121934.tif 000006
【図５】
2018121934.tif 000007
【図６】
2018121934.tif 000008
【図７】
2018121934.tif 000009
【図８】
2018121934.tif 000010
【図９】
2018121934.tif 000011